(57)【要約】【課題】スイッチレバーが安価であって、且つスイッチレバーを取付具に干渉することなく収納できる照明器具を提供する。【解決手段】照明器具は、天井面に取付けるための取付具及びランプの点灯切替を行うための引き紐スイッチを有する器具本体１と、引き紐スイッチの引き紐を器具本体１の外側に導出するためのスイッチレバー４とを備える。スイッチレバー４は線材で形成されたレバー本体５と、レバー本体５に取着されるカバー６とで構成される。器具本体１は一対の挿通溝及び一対の軸受け部１ｂが設けられ、引き紐スイッチ使用時はレバー本体５の各軸部５ｄを各軸受け部１ｂに、各支持部５ｃを各挿通溝にそれぞれ係止させると、引き紐通し孔５ａを器具本体１の外側に露出させた状態でスイッチレバー４が器具本体１に取着される。引き紐スイッチ非使用時はカバー６の各鍔部６ａをそれぞれ各挿通孔に挿通させると、スイッチレバー４が器具本体１に収納される。【選択図】図１
2008047470.tif 000002
【特許請求の範囲】
【請求項１】
天井面に固定された引掛シーリングに着脱可能に取付けられる取付具及びランプの点灯切替を行うための引き紐付きスイッチを有する器具本体と、前記引き紐付きスイッチの引き紐を通すための引き紐通し孔を有し前記器具本体に取付けられるスイッチレバーとを備え、
前記引き紐通し孔を前記器具本体の外側に突出させた状態で前記スイッチレバーが着脱可能に取付けられる操作用取付部と、前記器具本体の投影面内であって前記取付具と重ならない位置に前記スイッチレバーを配置した状態で前記スイッチレバーが着脱可能に取付けられる収納用取付部とを前記器具本体に設けたことを特徴とする照明器具。
【請求項２】
前記操作用取付部は、前記収納用取付部を兼用することを特徴とする請求項１記載の照明器具。
【請求項３】
前記スイッチレバーは、線材で形成されたレバー本体と、前記レバー本体の下面側を覆うように前記レバー本体に取着されるカバーとを有し、
前記操作用取付部は、前記器具本体の中心側から外側に向かってそれぞれ延出し、互いの開口部が対向するように形成された一対の挿通溝を有しており、
前記カバーに前記各挿通溝にそれぞれ挿通される一対の鍔部を設けたことを特徴とする請求項２記載の照明器具。
【請求項４】
前記レバー本体は、中心孔が前記引き紐通し孔となるコイル状部と、前記コイル状部の両端からＶ字状に延出する一対の支持部と、前記各支持部の先端側をそれぞれ互いに反対向きに折り曲げて形成した一対の係合部とを有し、
前記各挿通溝は、前記各支持部に沿って前記器具本体の中心側から外側に向かって互いの間隔が狭くなるように形成され、
前記カバーは、前記各挿通溝に沿って先端側に向かって前記両鍔部の間隔が狭くなるように形成されたことを特徴とする請求項３記載の照明器具。
【請求項５】
前記カバーは、樹脂製であって、前記コイル状部に対応する部位に前記引き紐通し孔より穴径が大きい挿通孔を設けたことを特徴とする請求項４記載の照明器具。
【発明の詳細な説明】
【技術分野】
【０００１】
本発明は、ランプの点灯切替を行うための引き紐を導出するスイッチレバーを備えた照明器具に関するものである。
【背景技術】
【０００２】
従来より、図６及び図７に示すような照明器具Ａがあった（例えば特許文献１参照）。この照明器具Ａは、図６に示すように天井面８に固定された引掛シーリング７に取付けられる取付具１１を有する円板状の器具本体１と、器具本体１に取付けられランプ９の点灯切替を行うための引き紐３を有する引き紐付きスイッチ２と、器具本体１に取付けられ引き紐３を器具本体１の外側に導出支持するためのスイッチレバー４を成すレバー本体５とを備えている。
【０００３】
レバー本体５は、図７（ａ）に示すように中心孔が引き紐３を通すための引き紐通し孔５ａをなすコイル状部５ｂと、コイル状部５ｂの両端からＶ字状に延出する一対の支持部５ｃと、各支持部５ｃの先端側をそれぞれ互いに反対向きに折り曲げて形成した一対の軸部５ｄとで形成されている。
【０００４】
一方、器具本体１の上面には、レバー本体５の両軸部５ｄ，５ｄが係合する一対の軸受け部１ｂが設けられている。
【０００５】
このスイッチレバー４は、レバー本体５の両支持部５ｃ，５ｃを互いに近づく方向に撓めた状態で各軸部５ｄを器具本体１の各軸受け部１ｂにそれぞれ挿通させると、器具本体１に取付けられる。そして、両軸受け部１ｂ，１ｂを中心としてコイル状部５ｂを器具本体１の外側に突出させた使用状態（図７（ａ）参照）と、コイル状部５ｂを器具本体１の内側に配置した収納状態（図７（ｂ）参照）との間で回動自在に移動させることができる。
【０００６】
この照明器具Ａでは、引き紐付きスイッチ２を使用せず壁スイッチ（図示せず）のみでオンオフする場合はスイッチレバー４を収納状態にし、引き紐付きスイッチ２を使用する場合はスイッチレバー４を使用状態に移動させて、引き紐通し孔５ａに通した引き紐３を下方に垂らすようになっている。
【特許文献１】特開２００４−２２４２３号公報（第３頁−第５頁、及び、第１図−第４図）
【発明の開示】
【発明が解決しようとする課題】
【０００７】
上述の特許文献１に示した照明器具Ａでは、図６に示すように器具本体１の下面側にランプ９を覆うようにグローブ１０が取付けられており、引き紐３を器具本体１の外側に導出するためにはグローブ１０の外形に応じてレバー本体５の支持部５ｃの長さを決める必要がある。従ってグローブ１０の外形が大きい場合には、レバー本体５の支持部５ｃが長くなり、スイッチレバー４を収納した際に、図７（ｃ）に示すように器具本体１の中央に設けられた取付具１１にスイッチレバー４が干渉する虞れがあった。
【０００８】
そこで、図８や図９に示すようなスイッチレバー４を用いたものが提案されている。図８はスイッチレバー４を器具本体１に対してスライドさせるタイプのものであり、図９はスイッチレバー４を器具本体１に対して回転させるタイプのものである。
【０００９】
しかしこれらのスイッチレバー４は、細長い板状に形成されているので、引き紐を引っ張った際に変形する虞れがあり、さらにスイッチレバー４の強度を上げようとするとスイッチレバー４の構造が複雑になってしまい、金型費用が高額になるという問題があった。
【００１０】
本発明は上記問題点に鑑みて為されたものであり、その目的とするところは、スイッチレバーが安価であって、且つスイッチレバーを取付具に干渉することなく収納できる照明器具を提供することにある。
【課題を解決するための手段】
【００１１】
請求項１の発明は、天井面に固定された引掛シーリングに着脱可能に取付けられる取付具及びランプの点灯切替を行うための引き紐付きスイッチを有する器具本体と、引き紐付きスイッチの引き紐を通すための引き紐通し孔を有し器具本体に取付けられるスイッチレバーとを備え、引き紐通し孔を器具本体の外側に突出させた状態でスイッチレバーが着脱可能に取付けられる操作用取付部と、器具本体の投影面内であって取付具と重ならない位置にスイッチレバーを配置した状態でスイッチレバーが着脱可能に取付けられる収納用取付部とを器具本体に設けたことを特徴とする。
【００１２】
請求項２の発明は、操作用取付部は、収納用取付部を兼用することを特徴とする。
【００１３】
請求項３の発明は、スイッチレバーは、線材で形成されたレバー本体と、レバー本体の下面側を覆うようにレバー本体に取着されるカバーとを有し、操作用取付部は、器具本体の中心側から外側に向かってそれぞれ延出し、互いの開口部が対向するように形成された一対の挿通溝を有しており、カバーに各挿通溝にそれぞれ挿通される一対の鍔部を設けたことを特徴とする。
【００１４】
請求項４の発明は、レバー本体は、中心孔が引き紐通し孔となるコイル状部と、コイル状部の両端からＶ字状に延出する一対の支持部と、各支持部の先端側をそれぞれ互いに反対向きに折り曲げて形成した一対の係合部とを有し、各挿通溝は、各支持部に沿って器具本体の中心側から外側に向かって互いの間隔が狭くなるように形成され、カバーは、各挿通溝に沿って先端側に向かって両鍔部の間隔が狭くなるように形成されたことを特徴とする。
【００１５】
請求項５の発明は、カバーは、樹脂製であって、コイル状部に対応する部位に引き紐通し孔より穴径が大きい挿通孔を設けたことを特徴とする。
【発明の効果】
【００１６】
請求項１の発明によれば、引き紐付きスイッチを使用する場合にはスイッチレバーを操作用取付部に、使用しない場合にはスイッチレバーを収納用取付部に取付けることによって、非使用時には器具本体の投影面内であって取付具と重ならない位置にスイッチレバーを配置することができる。従ってスイッチレバーが長い場合であっても、スイッチレバーを取付具に干渉することなく器具本体に収納することができ、器具本体を支障なく天井面に取付けることができるという効果がある。またスライド機構や回転機構が不要なので、金型費用を抑えることができ、スイッチレバー及び器具本体を安価に製作することができるという効果がある。
【００１７】
請求項２の発明によれば、スイッチレバーを使用する際に用いる操作用取付部が収納用取付部を兼用しているので、収納時にのみ使用する取付部を別途設けなくてもよく、器具本体の原価アップを抑えることができるという効果がある。
【００１８】
請求項３の発明によれば、操作用取付部は一対の挿通溝を有しており、各挿通溝にそれぞれ挿通される一対の鍔部をカバーに設けているので、スイッチレバーを器具本体に収納する際に各鍔部を各挿通溝に沿ってそれぞれ挿通させるだけでよく、簡単に収納することができるという効果がある。
【００１９】
請求項４の発明によれば、カバーは各挿通溝に沿って先端側に向かって両鍔部の間隔が狭くなるように形成されており、カバーを収納用取付部に取付けた際に、器具本体の外側方向へのカバーの突出量が規制される。従ってカバーが器具本体から外側に突出することなく器具本体の投影面内に確実に収めることができ、且つ下から見えることがないので外観が向上するという効果がある。また各挿通溝はレバー本体の各支持部に沿って器具本体の中心側から外側に向かって互いの間隔が狭くなるように形成されており、各支持部を各挿通溝にそれぞれ係止させてスイッチレバーを操作用取付部に取付けた際に、各支持部は各挿通溝に面接触するので、支持部及び挿通溝に集中応力がかかりにくいという効果がある。
【００２０】
請求項５の発明によれば、カバーを樹脂で形成しているので、レバー本体にカバーを取付けることによってスイッチレバーに高級感を持たせることができるという効果がある。またカバーにはレバー本体の引き紐通し孔に対応する部位に、引き紐通し孔より穴径が大きい挿通孔を設けているので、引き紐を下方に引っ張った際に引き紐がカバーに摺れることがなく、摩擦によって引き紐が切れるのを防止することができるという効果がある。
【発明を実施するための最良の形態】
【００２１】
以下に本発明の実施の形態を図１〜図６に基づいて説明する。尚、本発明に係る照明器具は、背景技術で説明した図６の照明器具Ａとスイッチレバー４以外の構成は略同様であるので、同一の構成要素には同一の符号を付している。
【００２２】
本発明に係る照明器具Ａは、図６に示すように天井面８に固定された引掛シーリング７に取付けるための取付具１１を有する器具本体１と、器具本体１に取付けられランプ９の点灯切替を行なうための引き紐３を有する引き紐付きスイッチ２と、器具本体１に取付けられ引き紐３を器具本体１の外側に導出支持するためのスイッチレバー４とを備えている。また器具本体１の下面側には、外径の異なる円環状のランプ９が複数（図６では２個）取付けられており、ランプ９及び器具本体１を下側から覆うようにグローブ１０が器具本体１に取着されている。尚、器具本体１の上面と天井面８との間にはスイッチレバー４を配置可能な隙間が設けられている。
【００２３】
まず、スイッチレバー４について図１〜図５に基づいて説明する。スイッチレバー４は、金属製の線材で形成されたレバー本体５と、レバー本体５の下面側を覆うようにレバー本体５に取着される樹脂製のカバー６とで構成されている。レバー本体５は、図１及び図３に示すように中心孔が引き紐３を通すための引き紐通し孔５ａをなすコイル状部５ｂを有しており、このコイル状部５ｂの両端から一対の支持部５ｃがＶ字状に延出している。さらに各支持部５ｃの先端側には、各支持部５ｃの先端部をそれぞれ互いに反対方向に折り曲げて形成した一対の軸部５ｄが設けられている。
【００２４】
一方、カバー６は、図１及び図２に示すように２等辺の成す角が両支持部５ｃ，５ｃの成す角度と略同角度の三角形状であって、頂部が円弧状に形成された底板６ｇを有しており、底板６ｇの長手方向に沿う２辺からは側壁６ｆが上方に向かってそれぞれ突設され、両側壁６ｆ，６ｆは先端側で一体に連結されている。さらに各側壁６ｆの下側には、それぞれ側方に向かって突出する一対の鍔部６ａがカバー６の長手方向において略全長に渡って設けられている。尚、両鍔部６ａ，６ａは両支持部５ｃ，５ｃの成す角度と略同角度に形成されている。また各側壁６ｆの先端側には、図４（ａ）に示すように後述する器具本体１に設けた各突出片１ｃに係止する一対の抜け防止リブ６ｅがそれぞれ設けられており、各側壁６ｆの後端側には、側壁６ｆの上端面から互いに反対側の側壁６ｆに向かって突出する保持片６ｃがそれぞれ２個ずつ設けられている。
【００２５】
さらにカバー６には、レバー本体５の引き紐通し孔５ａに対応する部位に、図５に示すように穴径Ｄ２が引き紐通し孔５ａの穴径Ｄ１より大きく、且つコイル状部５ｂの外径Ｄ３より小さい挿通孔６ｂが設けられており、底板６ｇにおいて挿通孔６ｂの後側には、コイル状部５ｂの外面と当接する位置決め片６ｄが突設されている。
【００２６】
ここで、図４（ｂ）は他のスイッチレバー４を示す斜視図であり、鍔部６ａを挿通溝１ｄに挿通する部位のみに設けたものである。この場合、材料費を削減することができるが、外観が損なう虞れがあり、図４（ａ）に示すように鍔部６ａはカバー６の略全長に渡って設けるのが好ましい。
【００２７】
器具本体１は、図１に示すように略円板状に形成されており、略中央には取付具１１を取付けるための取付部１ａが設けられている。また器具本体１の上面の端縁近傍には、例えば切り起こしによって断面視半円状に形成され、両端が開口する一対の軸受け部１ｂ（図４（ａ）参照）が設けられている。さらに各軸受け部１ｂよりも外側寄りには、例えば切り起こしによって上片１ｅと側片１ｆとで側面視Ｌ字状に形成された一対の突出片１ｃが互いの開口部が対向するように設けられており、各突出片１ｃと器具本体１の上面との間にはそれぞれ挿通溝１ｄが形成されている。尚、一対の突出片１ｃは、両側片１ｆ，１ｆの成す角度がレバー本体５の両支持部５ｃ，５ｃの成す角度と略同角度を成し、天井面８に沿う方向において器具本体１の中心側から外側に向かって互いの間隔が狭くなるように設けられている。
【００２８】
ここで、レバー本体５にカバー６を取付ける取付手順について説明する。まずコイル状部５ｂを、側壁６ｆと位置決め片６ｄとの間に配置する。そして両支持部５ｃ，５ｃを互いの間隔が狭くなるように撓めた状態で各保持片６ｃと底板６ｇとの間に各支持部５ｃをそれぞれ差し込み手を離すと、ばね反力により両支持部５ｃ，５ｃが拡開し、各支持部５ｃが各側壁６ｆにそれぞれ係止され、カバー６がレバー本体５に取付けられる。
【００２９】
次に、引き紐付きスイッチ２を使用する場合に、スイッチレバー４を器具本体１に取付ける取付手順について説明する。まず両支持部５ｃ，５ｃを互いの間隔が狭くなるように撓めた状態で各軸部５ｄを各軸受け部１ｂにそれぞれ挿通するとともに各支持部５ｃを各挿通溝１ｄにそれぞれ差し込む。そして手を離すと、ばね反力により両支持部５ｃ，５ｃが拡開し、各軸部５ｄが各軸受け部１ｂにそれぞれ係止されるとともに各支持部５ｃが各挿通溝１ｄにそれぞれ係止され、図２に示すように取付けが完了し、引き紐通し孔５ａが器具本体１の外側に露出する。ここに、各挿通溝１ｄ，１ｄの底部をなす側片１ｆ，１ｆはレバー本体５の両支持部５ｃ，５ｃの成す角度と略同角度に形成されており、各支持部５ｃは各側片１ｆに面接触するので、各支持部５ｃ及び各側片１ｆには集中応力がかかりにくい。
【００３０】
尚、器具本体１からスイッチレバー４を取り外す場合には、両支持部５ｃ，５ｃを互いの間隔が狭くなるように撓めると、軸部５ｄと軸受け部１ｂとの係止状態及び支持部５ｃと挿通溝１ｄとの係止状態がそれぞれ解除されるので、スイッチレバー４を簡単に取り外すことができる。ここに、両軸受け部１ｂ，１ｂと両挿通溝１ｄ，１ｄとで操作用取付部を構成している。
【００３１】
さらに、引き紐付きスイッチ２を使用しない場合に、スイッチレバー４を器具本体１に取付ける取付手順について説明する。カバー６に設けた鍔部６ａを各挿通溝１ｄにそれぞれ挿通すると、図３に示すようにスイッチレバー４が器具本体１の上面に収納された状態でスイッチレバー４が器具本体１に取付けられる。この時、各側壁６ｆに設けた抜け防止リブ６ｅは、各突出片１ｃの上片１ｅの外側端縁にそれぞれ係止しているので（図４（ａ）参照）、器具本体１を天井面８に取付ける際に、スイッチレバー４が外れることなく仮保持することができる。また抜け防止リブ６ｅを設けることによって、スイッチレバー４を取付けた際にスイッチレバー４が器具本体１に嵌合したことを確認する目安になる。ここに、両挿通溝１ｄ，１ｄで収納用取付部を構成している。
【００３２】
また、両鍔部６ａ，６ａは、器具本体１に設けた両側片１ｆ，１ｆの成す角度と略同角度に先端側が狭くなるように形成されているので、器具本体１の外側方向へのカバー６の突出量が規制され、図３に示すように器具本体１から外側に突出することなくスイッチレバー４を器具本体１に収納することができる。また、スイッチレバー４が下から見えることがないので外観が向上する。さらに、図３に示すように器具本体１の投影面内であって、取付具１１が取付けられる取付部１ａと重ならない位置にスイッチレバー４を配置することができるので、レバー本体５の支持部５ｃが長い場合であってもスイッチレバー４が取付具１１に干渉することがなく、器具本体１を支障なく天井面８に取付けることができる。
【００３３】
尚、器具本体１からスイッチレバー４を取り外す場合には、スイッチカバー６を手前（図３中の器具本体１の中心方向）に引っ張ることによって抜け止めリブ６ｅと上片１ｅの係止状態を解除することができ、スイッチレバー４を簡単に取り外すことができる。
【００３４】
この照明器具Ａでは、引き紐付きスイッチ２を使用する際に用いる両挿通溝１ｄ，１ｄを利用してスイッチレバー４を器具本体１に収納しているので、スイッチレバー４を収納するために新たに取付機構を設けなくてもよく、器具本体１の原価アップを抑えることができる。また図８や図９に示すようなスライド機構や回転機構が不要なので、スイッチレバー４の構造が複雑にならず金型費用を抑えることができ、スイッチレバー４や器具本体１を安価に製作することができる。さらにスイッチレバー４を器具本体１に収納する際には、各鍔部６ａを各挿通溝１ｄにそれぞれ挿通させるだけでよく、簡単に収納することができる。
【００３５】
また、カバー６を樹脂で形成しているので、スイッチレバー４を使用する状態で器具本体１に取付けた際に、レバー本体５にカバー６を取付けることによってスイッチレバー４に高級感を持たせることができる。さらに、カバー６にはレバー本体５の引き紐通し孔５ａに対応する部位に、穴径Ｄ２が引き紐通し孔５ａの穴径Ｄ１より大きく、且つコイル状部５ｂの外径Ｄ３より小さい挿通孔６ｂを設けているので、図５に示すように引き紐３を下方に引っ張った際に引き紐３がカバー６に摺れることがなく、摩擦によって引き紐３が切れるのを防止することができる。
【図面の簡単な説明】
【００３６】
【図１】本実施形態の照明器具の一部破断せる分解斜視図である。
【図２】同上の一部破断せる外観斜視図である。
【図３】同上にスイッチレバーを収納した状態の一部破断せる平面図である。
【図４】（ａ）は同上にスイッチレバーを収納した状態の要部詳細斜視図である。（ｂ）は同上に他のスイッチレバーを収納した状態の要部詳細斜視図である。
【図５】同上に取付けたスイッチレバーから引き紐を吊下げた状態の要部詳細断面図である。
【図６】従来例の照明器具の断面図である。
【図７】（ａ）は従来例の照明器具の一部破断せる外観斜視図である。（ｂ）は従来例の照明器具にスイッチレバーを収納した状態の一部破断せる外観斜視図である。（ｃ）は従来例の照明器具に他のスイッチレバーを収納した状態の一部破断せる外観斜視図である。
【図８】他の従来例の照明器具にスライドするスイッチレバーを取付けた状態の一部破断せる平面図である。
【図９】他の従来例の照明器具に回転するスイッチレバーを取付けた状態の一部破断せる平面図である。
【符号の説明】
【００３７】
１    器具本体
１ｂ  軸受け部
１ｃ  突出片
１ｄ  挿通溝
２    引き紐付きスイッチ
３    引き紐
４    スイッチレバー
５    レバー本体
５ａ  引き紐通し孔
５ｂ  コイル状部
５ｃ  支持部
５ｄ  軸部
６    カバー
６ａ  鍔部
６ｂ  挿通孔
７    引掛シーリング
８    天井面
９    ランプ
１１  取付具
【図１】
2008047470.tif 000003
【図２】
2008047470.tif 000004
【図３】
2008047470.tif 000005
【図４】
2008047470.tif 000006
【図５】
2008047470.tif 000007
【図６】
2008047470.tif 000008
【図７】
2008047470.tif 000009
【図８】
2008047470.tif 000010
【図９】
2008047470.tif 000011